(57)【要約】【課題】既設管のある地中を掘削した掘削孔に据付けることができる地中埋設コンクリートブロックを提供する。【解決手段】上面部11と左右側面部12，12とを有し、下面に下部開口部13を有するブロック本体１と、下部開口部に設ける下面部２と、ブロック本体１の長さ方向端部に設ける端面部とを備え、この端面部を上端面部21と下端面部22に分割し、上端面部21の下縁21Ａに既設管４を挿通する端面凹部24を設ける。これにより掘削孔５に既設管４がある場合でも、ブロック本体１の下部が開口しているため、その下部開口部13に既設管４を通すようにしてブロック本体１を掘削孔５の底部に設置し、設置後、下部開口部13に下面部２を設けることができる。しかも、端面凹部24に既設管４を挿通するようにして上端面部21をブロック本体に接合することができる。【選択図】図１
2012019592.tif 000002
【特許請求の範囲】
【請求項１】
上面部と左右側面部とを有し、下面に下部開口部を有するブロック本体と、
前記下部開口部に設ける下面部と、
前記ブロック本体の長さ方向端部に設ける端面部と、
を備え、
前記端面部を上端面部と下端面部に分割し、前記上端面部の下縁に既設管を挿通する端面凹部を設けたことを特徴とする地中埋設コンクリートブロック。
【請求項２】
前記下部開口部に着脱可能に設ける左右方向の間隔保持材を備えることを特徴とする請求項１記載の地中埋設コンクリートブロック。
【請求項３】
複数の前記ブロック本体を長さ方向に接合し、長さ方向に隣合う左右側面部の接合縁に、既設管を挿通する側面凹部を設けたことを特徴とする請求項１又は２記載の地中埋設コンクリートブロック。
【請求項４】
前記下端面部の上縁と側縁に吊り受具を設けたことを特徴とする請求項１〜３のいずれか１項に記載の地中埋設コンクリートブロック。
【請求項５】
請求項１記載の地中埋設コンクリートブロックの施工方法において、
既設管が埋設された地中を掘削して掘削孔を形成する掘削工程と、
前記ブロック本体を吊り上げ、前記既設管を下部開口部に通して該ブロック本体を掘削孔の底部に設置し、設置後、前記下部開口部に前記下面部を設けるブロック本体の据付工程と、
前記下端面部を吊り上げ、前記既設管の下部に配置した後、前記ブロック本体の端部に接合し、前記上端面部を吊り上げ、前記端面凹部に前記既設管を挿通して該上端面部を前記ブロック本体と前記下端面部に接合し、前記端面凹部を塞ぐ端面部の据付工程と、
を備えることを特徴とする地中埋設コンクリートブロックの施工方法。
【請求項６】
前記下部開口部に左右方向の間隔保持材を取り付け、前記下部開口部に前記既設管を通す前に前記間隔保持材を取り外すことを特徴とする請求項５記載の地中埋設コンクリートブロックの施工方法。
【請求項７】
前記下部開口部に前記既設管を通した後、前記間隔保持材を取り付け、コンクリートを打設して前記下面部を形成することを特徴とする請求項６記載の地中埋設コンクリートブロックの施工方法。
【請求項８】
前記ブロック本体を設置する前に、前記下端面部を前記掘削孔の長さ方向側面の底部に仮置きすることを特徴とする請求項５〜７のいずれか１項に記載の地中埋設コンクリートブロックの施工方法。
【発明の詳細な説明】
【技術分野】
【０００１】
本発明は、地中埋設コンクリートブロックとその施工方法に関し、電力線や通信線などのケーブルなどを収納する地中埋設コンクリートブロックとその施工方法に関する。
【背景技術】
【０００２】
従来、この種のものとして、既設の道路に沿って共同溝を敷設し、その中に電線や通信線を通して電線などを地中化する工事が盛んに行われており、分岐用などとして適当なピッチでコンクリート製のボックス（例えば特許文献１）が施工されている。また、上壁と、底壁と、側壁とを有するコンクリートブロックであって、さらに、前記上壁を貫通する切欠きまたは貫通孔であって、当該コンクリートブロックを設置する際に吊るためのロープまたは当該ロープを吊り下げるフックが通過する程度のサイズの切欠きまたは貫通孔と、前記ロープを当該コンクリートブロックの内側から取り付けるように設置された取付具またはその取付具を固定するアンカーとを有するコンクリートブロック（例えば特許文献２）が提案され、このコンクリートブロックでは、マンホールのないコンクリートブロックであっても吊り代が短く、周りの障害物を取り除かなくても吊り込みが容易となる。
【先行技術文献】
【特許文献】
【０００３】
【特許文献１】特開平１０−１３６５４３号公報
【特許文献２】特開２００４−２８５５６８号公報
【発明の概要】
【発明が解決しようとする課題】
【０００４】
上記特許文献２のコンクリートブロックでは、周りの障害物を取り除かなくても吊り込みが容易となる。ところで、地中には水道管，ガス管，通信線等を収納した管などの各種の既設管が埋設されており、既設管のある場所では既設管が邪魔になって新設のコンクリートブロックを据付けることが困難であった
そこで、本発明は上記した問題点に鑑み、既設管のある地中を掘削した掘削孔に据付けることができる地中埋設コンクリートブロックとその施工方法を提供することを目的とする。
【課題を解決するための手段】
【０００５】
上記目的を達成するために、請求項１に係る発明は、上面部と左右側面部とを有し、下面に下部開口部を有するブロック本体と、前記下部開口部に設ける下面部と、前記ブロック本体の長さ方向端部に設ける端面部とを備え、前記端面部を上端面部と下端面部に分割し、前記上端面部の下縁に既設管を挿通する端面凹部を設けたことを特徴とする。
【０００６】
また、請求項２に係る発明は、前記下部開口部に着脱可能に設ける左右方向の間隔保持材を備えることを特徴とする。
【０００７】
また、請求項３に係る発明は、複数の前記ブロック本体を長さ方向に接合し、長さ方向に隣合う左右側面部の接合縁に、既設管を挿通する側面凹部を設けたことを特徴とする。
【０００８】
また、請求項４に係る発明は、前記下端面部の上縁と側縁に吊り受具を設けたことを特徴とする。
【０００９】
また、請求項５に係る発明は、請求項１記載の地中埋設コンクリートブロックの施工方法において、既設管が埋設された地中を掘削して掘削孔を形成する掘削工程と、前記ブロック本体を吊り上げ、前記既設管を下部開口部に通して該ブロック本体を掘削孔の底部に設置し、設置後、前記下部開口部に前記下面部を設けるブロック本体の据付工程と、前記下端面部を吊り上げ、前記既設管の下部に配置した後、前記ブロック本体の端部に接合し、前記上端面部を吊り上げ、前記端面凹部に前記既設管を挿通して該上端面部を前記ブロック本体と前記下端面部に接合し、前記端面凹部を塞ぐ端面部の据付工程と、を備えることを特徴とする。
【００１０】
また、請求項６に係る発明は、前記下部開口部に左右方向の間隔保持材を取り付け、前記下部開口部に前記既設管を通す前に前記間隔保持材を取り外すことを特徴とする。
【００１１】
また、請求項７に係る発明は、前記下部開口部に前記既設管を通した後、前記下部開口部に前記間隔保持材を取り付け、コンクリートを打設して前記下面部を形成することを特徴とする。
【００１２】
また、請求項８に係る発明は、前記ブロック本体を設置する前に、前記下端面部を前記掘削孔の長さ方向側面の底部に仮置きすることを特徴とする。
【発明の効果】
【００１３】
本発明の請求項１に記載の地中埋設コンクリートブロックによれば、掘削孔に既設管がある場合でも、ブロック本体の下部が開口しているため、その下部開口部に既設管を通すようにしてブロック本体を掘削孔の底部に設置し、設置後、下部開口部に下面部を設けることができる。しかも、長さ方向端部においては、下端面部を既設管の下部でブロック本体の端面に接合し、端面凹部に既設管を挿通するようにして上端面部をブロック本体に接合することができる。
【００１４】
また、本発明の請求項２に記載の地中埋設コンクリートブロックによれば、間隔保持材により左右側面部の下部間の変形を防止できる。
【００１５】
また、本発明の請求項３に記載の地中埋設コンクリートブロックによれば、既設管が分岐管を有し、平面略Ｔ字状に配管されている場合でも、側面凹部に分岐管を通すことができる。
【００１６】
また、本発明の請求項４に記載の地中埋設コンクリートブロックによれば、上縁の吊り受具により吊り上げ、狭い掘削孔内において、側縁の吊り受具を用いて、吊り上げ状態の下端面部を旋回して既設管の下部に配置することができる。これによりコンクリートブロックに対して掘削孔を必要以上に大きく形成する必要がなくなる。
【００１７】
また、本発明の請求項５に記載の地中埋設コンクリートブロックの施工方法によれば、掘削孔に既設管がある場合でも、プレキャストコンクリート製のブロック本体と端面部に既設管を通して設置することができる。
【００１８】
また、本発明の請求項６に記載の地中埋設コンクリートブロックの施工方法によれば、設置前の下部開口部の変形を防止できる。
【００１９】
また、本発明の請求項７に記載の地中埋設コンクリートブロックの施工方法によれば、コンクリートを打設するまで下部開口部の変形を防止でき、さらに、間隔保持材が下面部のコンクリートの補強材となる。
【００２０】
また、本発明の請求項８に記載の地中埋設コンクリートブロックの施工方法によれば、ブロック本体を設置する前のスペースのある掘削孔に予め下端面部を仮置きすることにより、下端面部の吊下ろし作業を簡便に行うことができる。
【図面の簡単な説明】
【００２１】
【図１】本実施例の実施例１を示す施行途中の掘削孔の断面図である。
【図２】同上、ブロック本体と端面版を据付後で埋戻し前の掘削孔の断面図である。
【図３】同上、ブロック本体の要部の拡大断面図である。
【図４】同上、下端面部の据付工程を説明する断面図である。
【図５】同上、ブロック本体の据付工程を説明する断面図であり、ブロック本体を吊り下ろす状態を示す。
【図６】同上、ブロック本体の据付工程を説明する断面図であり、ブロック本体を掘削孔の底部に載置下状態を示す。
【図７】同上、上端面部の据付工程を説明する断面図である。
【図８】本実施例の実施例２を示す斜視図である。
【図９】同上、ブロック本体と端面版を据付後で埋戻し前の掘削孔の平面図である。
【発明を実施するための形態】
【００２２】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な構成を採用することにより、従来にない機能を付加した地中埋設コンクリートブロックとその施工方法が得られ、その地中埋設コンクリートブロックとその施工方法を夫々記述する。
【実施例１】
【００２３】
以下、図面を参照して、本発明の実施例１について説明する。図１〜図７に示すように、本実施例の地中埋設コンクリートブロックは、例えば内部でケーブルなどを接続する接続枡として使用され、プレキャストコンクリート製のブロック本体１と、現場打ちコンクリート又はプレキャストコンクリート製の下面部２と、プレキャストコンクリート製で板状をなす端面部３とを有する。
【００２４】
また、地中埋設コンクリートブロックは、既設管４が埋設された地中に設置され、その地中を開削して掘削孔５を形成する。尚、前記既設管４には、水道管やガス管などが例示される。
【００２５】
前記ブロック本体１は、上面部11と左右側面部12，12とを有し、これら左右側面部12，12の下部間に下部開口部13を有し、この下部開口部13に前記下面部２が設けられる。前記左右側面部12の下部内面には、内側に膨出する肉厚部14を設け、この肉厚部14の内面14Ａにインサート成形によりナット体15を埋設固定し、前記肉厚部14の上部には、肉厚部14を上方に向かって徐々に薄くする傾斜面14Ｂが設けられている。尚、下部開口部13は複数の既設管４，４を下方から挿通可能な間隔を有する。
【００２６】
前記下部開口部13には、溝形鋼などからなる間隔保持材16が複数（３箇所）設けられ、これら間隔保持材16は圧縮力に対向する梁であって、ブロック本体１の左右方向に配置され、図３に示すように、その間隔保持材16の端部には、板材からなる連結部17を設け、この連結部17に連結手段であるボルト18を挿通し、このボルト18を前記ナット体15に螺合することにより、下部開口部13に取付けられる。また、前記間隔保持材16の少なくとも一方の端部には、必要に応じて、板材などからなるスペーサ19が設けられ、このスペーサ19は前記連結部17と前記内面14Ａとの間に挿入され、前記ボルト18が挿通される。そして、間隔保持材16にスペーサ19を用いることにより、左右の内面14Ａ，14Ａ間の寸法に合わせるように調整することができる。
【００２７】
前記端面部３は、ブロック本体１の長さ方向の端部を塞ぐものであって、上下に分割された上端面部21と下端面部22とからなり、この下端面部22は前記既設管４の下部に設置される。また、上端面部21の下縁21Ａには、前記既設管４を挿通する端面凹部24が切欠き状に形成され、この端面凹部24は下部が開口し、その端面凹部24の左右には下縁21Ａが残されている。
【００２８】
さらに、前記下端面部22の上縁22Ａには複数の吊り受具25を設け、この吊り受具25は上縁22Ａの左右方向中央と両側に設けられている。また、前記下端面部22の側縁22Ｂの上部には、吊り受具25が設けられている。前記吊り受具25は、凹部に金具が収納されたデーハアンカなどが用いられる。また、前記上面部11には、複数の吊り受具25が設けられ、前記上端面部21の上縁には、複数の吊り受具25が設けられている。
【００２９】
また、前記側面部12，12及び端面部３，３の適宜箇所には、それら側面部12，12及び端面部３，３の内外面に凹部を形成してなる薄肉部34が複数形成され、これら薄肉部34は、削ったり打ち破ったりして開口するノックアウト部である。
【００３０】
図１及び図３などに示すように、前記掘削孔５は、ブロック本体１の長さ方向の左右壁面５Ａ，５Ａと、ブロック本体１の左右方向の前後壁部５Ｂ，５Ｂを備え、平面略長方形形状をなし、左右壁面５Ａ，５Ａの間隔は、前記端面部３の左右方向幅の１．５倍以下とすることができる。また、前記掘削孔５の高さ方向中央側で、前記前後壁面５Ｂ，５Ｂ間に前記既設管４が横架されている。
【００３１】
また、前記掘削孔５の底面５Ｃには、該底面５Ｃの中央に本体基礎31が設けられ、この本体基礎31は、砕石により形成した透水性を有する基礎砕石層32と、この基礎砕石層32の上に設けたコンクリート版などからなる敷板33とからなり、モルタルにより形成された敷きモルタル34が設けられ、この敷きモルタル34の上面35が高さの基準になる基準面に形成されている。
【００３２】
次に、前記地中埋設コンクリートブロックの施工方法について説明する。上述したように掘削孔５を開削（掘削工程）し、この掘削孔５の底面５Ｃに本体基礎31を形成する。掘削孔５を形成した後、図４に示すように、端面部３の据付工程として、吊り受部25にフックなどの吊り具（図示せず）を係止し、この吊り具に連結した吊り条41により下端面部22を吊り上げる。既設管４と左右側面５Ｂとの間隔Ｋ，Ｋ´は、下端面部22の左右幅より狭く、間隔Ｋに対応する既設管４と左右側面５Ｂとの図中右側の間から、下端面部22を掘削孔５の長さ方向に合わせて吊り下ろす。この場合、間隔Ｋは掘削孔５の左右幅の１／２以上あり、下端面部22を既設管４の下方に吊り下ろしたら、中央の吊り受具25に連結した吊り索41を中心に、ほぼ９０度回転し、図１に示すように、前後側面５Ａに立掛けた状態で底面５Ｃに仮置きする。このよう下端面部22を回転する場合、側部上方に位置する側縁22Ｂの吊り受具25に、吊り索41を連結し、この吊り索41により下端面部22を回すようにしてもよい。上記は、本体基礎31の施工後における下端面部22の吊り上げ・仮置き作業を説明したが、本体基礎31を形成する前、或いは施工中に下端面部22を仮置きしてもよく、この場合、一方の間隔Ｋ，Ｋ´から下端面部22を底面５Ｃに吊り下ろし、底面５Ｃにおいて下端面部22を回しながら移動し、前後側面５Ａに立掛けた状態で底面５Ｃに仮置きすることができる。
【００３３】
このように両側の下側面部22，22を前後側面５Ｂ，５Ｂ側に仮置きした後、ブロック本体１の据付け（ブロック本体の据付工程）を行う。このブロック本体１には、工場で間隔保持材16が取付られており、設置まで下部の寸法が保持されている。そして、図６に示すように、地面に載置部材である角材42，42などを置き、これら角材42，42に肉厚部14，14の下面を載置してブロック本体１を仮置きしておく。ブロック本体１の据付工程において、吊り下ろし作業では、下部開口部13に既設管４を通すため、この前に間隔保持材16を取り外しておき、好ましくは、吊り上げ前で仮置きした状態で、全ての間隔保持材16を取り外す。吊り受具25と吊り索41を用いてブロック本体１を吊り上げ、下部開口部13に既設管４を通すようにして本体基礎31の所定位置に吊り下し、設置する。下部開口部13に既設管４を通した後、好ましくは本体基礎31に設置した後、再度、下部開口部13に間隔保持材16を取付ける。
【００３４】
このようにして本体基礎31にブロック本体１を設置した後、端面部３の据付工程として、吊り受具25と吊り索41を用いて下端面部22，22をブロック本体１の長さ方向端面に接合し、この接合にはボルト51が用いられる。前記下端面部22，22とブロック本体１との接合と前記間隔保持材16の取付が終り、且つ下端面部22の薄肉部26及びこの下部端面部22の上縁22Ａの高さ位置より下方の薄肉部26を用いた配管（図示せず）が終了したら、下部端面部22の上縁22Ａの高さ位置より下方の掘削孔５を埋め戻すことができる。この場合、下面部２の完成前、即ち、下面部２がプレキャストコンクリート製の場合は、下部開口部13に下面部２を設ける前、下面部２を現場打ちコンクリートにより形成する場合は、現場打ちコンクリートを打設する前、又は、打設した現場打ちコンクリートが所定の強度になる前でも、間隔保持材16が切り梁となるため、埋戻しにより左右側面部12，12に土圧が加わっても下部開口部13の寸法が保持される。
【００３５】
また、下端面部22をブロック本体１に接合した後、吊り受具25と吊り索41を用いて上端面部21を吊上げ、端面凹部24に既設管４を収納するように上端面部21の下縁21Ａを下端面部22の上縁22Ａに接合し、さらに、上端面部21をブロック本体１の長さ方向端面に接合し、これら接合にはボルト51が用いられる。
【００３６】
さらに、下面部２の施行において、現場打ちコンクリートを用いる場合は、早強ポルトランドセメントを配合したコンクリートを用い、複数の前記間隔保持材16上に、補強材たるワイヤメッシュ43を配置した後、下部開口部13にコンクリート52を打設して下面部２を形成する。このようにコンクリート52内にワイヤメッシュ53を埋設することにより下面部２のコンクリート52におけるヒビ割れを防止することができる。
【００３７】
また、既設管４を挿通した端面凹部24の内外面に型枠パネル（図示せず）を配置し、早強ポルトランドセメントを配合した現場打ちコンクリート52を打設し、端面凹部24をコンクリート52により塞ぐ。
【００３８】
端面凹部24のコンクリートが硬化して所定の強度になったら、掘削孔５を埋め戻すことができる。尚、外面側の型枠パネルが土圧に対抗する強度を持つ場合は、コンクリート52が硬化する前に掘削孔５を埋め戻すことができる。
【００３９】
このように本実施例では、請求項１に対応して、上面部11と左右側面部12，12とを有し、下面に下部開口部13を有するブロック本体１と、下部開口部13に設ける下面部２と、ブロック本体１の長さ方向端部に設ける端面部３，３とを備え、端面部３を上端面部21と下端面部22に分割し、上端面部21の下縁21Ａに既設管４を挿通する端面凹部24を設けたから、掘削孔５に既設管４がある場合でも、ブロック本体１の下部が開口しているため、その下部開口部13に既設管４を通すようにしてブロック本体１を掘削孔５の底部に設置し、設置後、下部開口部13に下面部２を設けることができる。しかも、長さ方向端部においては、下端面部22を既設管４の下部でブロック本体１の端面に接合し、端面凹部24に既設管４を挿通するようにして上端面部21をブロック本体に接合することができる。
【００４０】
また、このように本実施例では、請求項２に対応して、下部開口部13に着脱可能に設ける左右方向の間隔保持材16を備えるから、間隔保持材16により左右側面部12，12の下部間の変形を防止できる。
【００４１】
また、このように本実施例では、請求項４に対応して、下端面部21の上縁22Ａと側縁22Ｂに吊り受具25を設けたから、上縁22Ａの吊り受具25により吊り上げ、狭い掘削孔５内において、側縁22Ｂの吊り受具25を用いて、吊り上げ状態の下端面部22を旋回して既設管４の下部に配置することができる。これによりコンクリートブロックに対して掘削孔５を必要以上に大きく形成する必要がなくなる。
【００４２】
また、このように本実施例では、請求項５に対応して、請求項１記載の地中埋設コンクリートブロックの施工方法において、既設管４が埋設された地中を掘削して掘削孔５を形成する掘削工程と、ブロック本体１を吊り上げ、既設管４を下部開口部13に通して該ブロック本体１を掘削孔５の底部に設置し、設置後、下部開口部13に下面部２を設けるブロック本体の据付工程と、下端面部22を吊り上げ、既設管４の下部に配置した後、ブロック本体１の端部に接合し、上端面部21を吊り上げ、端面凹部24に既設管４を挿通して該上端面部22をブロック本体１と下端面部22に接合し、端面凹部24を塞ぐ端面部３の接合工程とを備えるから、掘削孔５に既設管４がある場合でも、プレキャストコンクリート製のブロック本体１と端面部３に既設管４を通して設置することができる。
【００４３】
また、このように本実施例では、請求項６に対応して、下部開口部13に左右方向の間隔保持材16を取り付け、下部開口部13に既設管４を通す前に間隔保持材16を取り外すから、設置前の下部開口部13の変形を防止できる。
【００４４】
また、このように本実施例では、請求項７に対応して、下部開口部13に既設管４を通した後、下部開口部13に間隔保持材16を取り付け、コンクリート52を打設して下面部２を形成するから、コンクリート52を打設するまで下部開口部13の変形を防止でき、さらに、間隔保持材16が下面部２のコンクリート52の補強材となる。
【００４５】
また、このように本実施例では、請求項８に対応して、ブロック本体１を設置する前に、下端面部22を掘削孔５の幅方向側面である前後側面５Ｂの底部に仮置きするから、ブロック本体１を設置する前のスペースのある掘削孔５に予め下端面部22を仮置きすることにより、下端面部22の吊下ろし作業を簡便に行うことができる。
【００４６】
また、実施例上の効果として、上端面部21の下縁21Ａには、該下縁21Ａの途中を開口するようにして端面凹部24が形成され、この端面凹部24の左右には下縁21Ａが残されているため、下端面部22の上縁22Ａと上端面部21の下縁21Ａとを接合して両者間の取付寸法精度を確保することができる。また、吊り受具25が上縁22Ａの左右方向中央と両側に設けられているから、吊下げ状態で中央の吊り受具25を用いて容易に旋回することができる。また、複数の前記間隔保持材16上に、補強材たるワイヤメッシュ43を配置した後、下部開口部13にコンクリート52を打設して下面部２を形成し、このようにコンクリート52内にワイヤメッシュ53を埋設することにより下面部２のコンクリート52におけるヒビ割れを防止することができる。また、下面部２に他の鉄筋を配筋してからコンクリート52を打設してもよく、埋設された前記間隔保持材16は鉄筋と同様にコンクリートの強度に貢献する。
【実施例２】
【００４７】
図８及び図９は、本発明の実施例２を示し、上記実施例１と同一部分に同一符号を付し、その詳細な説明を省略して詳述する。この例では、２つの前記ブロック本体１，１を長さ方向に接合し、これら２つのブロック本体１，１の長さ方向端面に、前記端面部３，３を接合している。尚、図９の斜視図では、薄肉部26などを図示省略している。
【００４８】
この例では、前記既設管４は既設の分岐管４Ａを有し、これら既設管４と分岐管４Ａは掘削孔５内において、略Ｔ字状に配管されている。前記ブロック本体１には、隣合うブロック本体１と接合する側面部12の接合縁12Ｆに、前記分岐管４Ａを挿通する側面凹部61を形成する。この側面凹部61は切欠き状に形成され、この側面凹部61は接合縁12Ｆ側が開口し、その側面凹部61の上下には接合縁12Ａが残されている。
【００４９】
そして、実施例１と同様にブロック本体１，１を設置し、この際、一方のブロック本体１の側面凹部61と他方のブロック本体１の接合縁12Ｆ間に分岐管４Ａを通すようにし、一方のブロック本体１は分岐管４Ａに触れないように下しながら、本体基礎31の近傍で他方のブロック本体１に近付けるようにして据え付ける。尚、一方のブロック本体１を本体基礎31に下した後、適宜手段により他方のブロック本体１に近付けるようにしてもよい。
【００５０】
また、前記分岐管４Ａを通した側面凹部61は前記コンクリート52を打設して塞ぐ。
【００５１】
尚、側面凹部61は、側面部の下端まで開口するようにしてもよいが、側面部12の接合縁12Ｆに部分的に形成することにより、側面開口部61の上部と下部に接合縁12Ｆがあるため、隣合うブロック本体１との接合における寸法精度を確保することができる。
【００５２】
このように本実施例では、請求項１に対応して、上面部11と左右側面部12，12とを有し、下面に下部開口部13を有するブロック本体１と、下部開口部13に設ける下面部２と、ブロック本体１の長さ方向端部に設ける端面部３，３とを備え、端面部３を上端面部21と下端面部22に分割し、上端面部21の下縁21Ａに既設管４を挿通する端面凹部24を設けたから、上記実施例１と同様な作用・効果を奏する。
【００５３】
また、このように本実施例では、請求項３に対応して、複数のブロック本体１，１を長さ方向に接合し、長さ方向に隣合う左右側面部12，12の接合縁12Ｆ，12Ｆに、既設管４を挿通する側面凹部61を設けたから、既設管４が分岐管４Ａを有し、平面略Ｔ字状に配管されている場合でも、側面凹部61に分岐管４Ａを通すことができる。
【００５４】
また、実施例上の効果として、側面部12の接合縁12Ｆには、側面部12の接合縁12Ｆの途中を開口するようにして側面凹部61が形成され、この側面凹部61の上下には接合縁12Ｆが残されているため、隣合う側面部12，12同士を接合して両者間の取付寸法精度を確保することができる。
【００５５】
尚、本発明は、本実施例に限定されるものではなく、本発明の要旨の範囲内で種々の変形実施が可能である。例えば、ブロック本体の据付工程と端面部の据付工程は部分的に平行して行うことができる。また、実施例１において、実施例２と同様に複数のブロック本体を長さ方向に接合してもよい。また、実施例では、平板状の端面部を示したが、端面部に、ブロック本体より短い上面部と左右側面部を設けてもよい。さらに、端面凹部及び側面凹部の対応部分に薄肉部を形成し、この薄肉部を現場で削ったり打ち破ったりして端面凹部及び側面凹部を形成してもよい。
【符号の説明】
【００５６】
１  ブロック本体
２  下面部
３  端面部
４  既設管
５  掘削孔
５Ｂ  前後側面（幅方向側面）
12  左右側面部
12Ｆ  接合縁
13  下部開口部
16  間隔保持材
21  上端面部
21Ａ  下縁
22  下端面部
22Ａ  上縁
22Ｂ  側縁
24  端面凹部
25  吊り受具
41  吊り索
52  コンクリート
61  側面凹部
【図１】
2012019592.tif 000003
【図２】
2012019592.tif 000004
【図３】
2012019592.tif 000005
【図４】
2012019592.tif 000006
【図５】
2012019592.tif 000007
【図６】
2012019592.tif 000008
【図７】
2012019592.tif 000009
【図８】
2012019592.tif 000010
【図９】
2012019592.tif 000011